(57)【要約】【課題】複数の携帯電話端末の電話番号及びメールアドレスを管理するサーバへ問い合わせることで、電話帳に登録されている電話番号及びメールアドレスが有効か無効、または変更されているかが確認可能なサーバ及び情報管理システムを提供することを目的とする。【解決手段】携帯電話端末１００から受信した電話帳データから加入者管理サーバ４００は、加入者データと照合し、電話帳データに含まれる電話番号またはメールアドレスを検索し、一致した電話番号またはメールアドレスがあった場合に、加入者データに登録した電話番号またはメールアドレスの登録日時と電話帳データに含まれる電話番号またはメールアドレスの登録日時とを比較し、比較結果から電話番号またはメールアドレスが現在も有効か無効かを携帯電話端末１００へ通知する。【選択図】図４
2007251562.tif 000002
【特許請求の範囲】
【請求項１】
通信事業者と契約した複数の携帯電話端末の加入者データを記憶する記憶手段を有するサーバにおいて、
前記記憶手段は、前記加入者データである電話番号及びメールアドレスを登録する登録部と、
前記登録部に登録した日時を記憶する登録日時記憶部と、
前記携帯電話端末が有する電話帳に登録されている電話番号またはメールアドレスと前記電話帳に電話番号またはメールアドレスを登録した日時を受信した際に、
受信した電話番号またはメールアドレスが前記登録部に登録されているかを検索する検索手段と、
前記検索手段の検索結果に基づいて、前記受信した日時と、前記登録日時記憶部に記憶されている日時とを比較する比較手段と、
前記比較手段による比較結果を前記携帯電話端末へ通知する通知手段とを有することを特徴とするサーバ。
【請求項２】
前記比較手段は、受信した日時と前記日時記憶部に記憶されている日時を比較し、該日時記憶部に記憶されている日時が、前記受信した日時よりも新しいか否かを比較し、比較結果を前記通知手段が前記携帯電話端末へ通知することを特徴とする請求項１記載のサーバ。
【請求項３】
前記記憶手段は、前記加入者データであるメールアドレスに変更があった場合に、変更前と変更後のメールアドレスを履歴として記憶する履歴記憶部と、
前記履歴記憶部が記憶した日時を記憶する履歴日時記憶部と、
前記加入者データへの問い合わせに対する応答を許可するか否かのフラグと、
前記フラグに基づいて通知を許可する電話番号を記憶する通知許可電話番号記憶部とを有することを特徴とする請求項１または２記載のサーバ。
【請求項４】
前記携帯電話端末が有する電話帳に登録されているメールアドレスと前記電話帳に登録した登録日時を受信した場合に、
前記検索手段が、受信したメールアドレスを前記登録部と前記履歴記憶部から検索し、検索結果に基づいて、前記比較手段が、受信した日時と前記登録日時記憶部、前記履歴日時記憶部とを比較し、
前記フラグが許可されている場合には、前記通知許可電話番号記憶部に記憶されている電話番号かを参照し、通知許可された電話番号の場合に、前記比較手段による比較結果を通知することを特徴とする請求項１から３のいずれか１項に記載のサーバ。
【請求項５】
前記履歴記憶部は、前記メールアドレスの変更が複数回行われた場合に、変更２つ前のメールアドレスを履歴として記憶することを特徴とする請求項２記載のサーバ。
【請求項６】
電話帳を有する携帯電話端末とサーバとがデータ通信網を介して接続可能で前記携帯電話端末と前記サーバとの間でデータの送受信を行う情報管理システムにおいて、
前記サーバは、複数の携帯電話端末のユーザデータを格納する格納部を有し、
前記携帯電話端末から受信した電話帳のデータと前記格納部に格納されているユーザデータとを照合し、
照合した結果、受信した電話帳データが受信した時点で有効または無効かを前記携帯電話端末へ通知することを特徴とする情報管理システム。
【請求項７】
前記携帯電話端末から前記サーバへ送信される電話帳データは、電話番号またはメールアドレスと、前記電話帳への電話番号またはメールアドレスの登録日時であって、
前記格納部には、ユーザデータとして電話番号及びメールアドレスを記憶部と、前記電話番号及びメールアドレスの記憶日時を記憶する日時記憶部を有し、
前記携帯電話端末から受信した電話帳データに含まれる電話番号またはメールアドレスを前記記憶部から検索し、
検索結果に基づいて、受信した登録日時と日時記憶部に記憶されている記憶日時を比較し、
比較結果を前記携帯電話端末へ通知することを特徴とする請求項６記載の情報管理システム。
【請求項８】
前記格納部には、前記記憶部に記憶されているメールアドレスが複数回変更された場合に、変更後のメールアドレスは前記記憶部に記憶され、変更前のメールアドレスは、履歴として記憶する履歴記憶部と、
前記履歴記憶部への記憶日時を記憶する履歴日時記憶部と、
前記電話帳データとの比較結果の通知を許可するフラグと、
前記フラグに基づいて、通知を許可する対象となる電話番号を記憶する通知許可電話番号記憶部とを有し、
受信した前記電話帳データに含まれるメールアドレスを前記記憶部及び履歴記憶部に記憶されたメールアドレスから検索し、
検索されたメールアドレスに通知を許可するフラグが成立している場合に、
前記電話帳データと共に送信された送信側の携帯電話端末自身の電話番号が前記通知許可電話番号記憶部に記憶されているかを照合し、
前記メールアドレスの登録日時と前記記憶日時および前記履歴日時記憶部に記憶されている記憶日時を比較し、
前記登録日時が前記記憶日時と最も近い日時の場合には、受信したメールアドレスが現在も使用可能である旨を前記携帯電話端末へ通知し、
前記履歴日時記憶部に記憶されている記憶日時に最も近い日時の場合には、メールアドレスが変更された旨と変更後のメールアドレスを前記携帯電話端末へ通知することを特徴とする請求項６または７記載の情報管理システム。
【発明の詳細な説明】
【技術分野】
【０００１】
本発明は、データ通信網を介して複数の携帯電話端末を接続可能なサーバ及び情報管理システムに関する。
【背景技術】
【０００２】
従来、音声通話、電子メールの送受信の機能を有する携帯電話端末には、通信、通話相手の電話番号、メールアドレスを電話帳データとして端末に記憶する機能を備えている。
【０００３】
近年、このような携帯電話端末の普及率は著しく、また買い換え需要も多くなっており、それに伴い、有限である電話番号の再利用も日常的に行われるようになってきた。
【０００４】
そこで、電話帳に登録されている相手先の電話番号やメールアドレスが現在も使用されているか否かは、相手先から変更の連絡や通知を受け取る以外に知ることができず、変更されたことが知らされていない場合は、通話不能、もしくは間違い電話をしてしまうというケースが発生してしまう。
【０００５】
そこで、上記の問題を解決するために、特許文献１の携帯電話端末では、電話帳へ電話番号を登録する際に、その登録日情報を格納し、またメモリ内に事業者との契約日情報を格納しておく。そこで、発呼側の携帯電話端末の電話帳への発呼先電話番号登録日情報と、着呼側携帯電話の契約日情報を比較することで、着呼側の契約日より発呼側の電話番号登録日の方が古かった場合には、着呼側携帯電話端末から通話拒否、着呼側携帯電話端末に着信報知動作をさせることなく回線の切断、発呼側携帯電話の電話帳から発呼先電話番号を削除といった動作を行うことで、間違い電話を防止している。
【特許文献１】特開２００１−２３０８５５号公報
【発明の開示】
【発明が解決しようとする課題】
【０００６】
しかし、特許文献１の携帯電話端末では、携帯電話端末同士での通信を行い、発呼側携帯電話端末で発信した際にのみ、契約日の比較を行っていることから、着呼側で電話番号が変更されていない場合には、電話がかかってしまうといった問題や、発呼側と着呼側との両方の携帯電話端末で上記のような機能を具備しないと実現しないといった問題がある。
【０００７】
本発明は、係る問題に鑑みてなされたものであり、複数の携帯電話端末の電話番号及びメールアドレスを管理するサーバへ問い合わせることで、電話帳に登録されている電話番号及びメールアドレスが有効か無効、または変更されているかが確認可能なサーバ及び情報管理システムを提供することを目的とする。
【課題を解決するための手段】
【０００８】
上記目的を達成するために、本発明のサーバは、通信事業者と契約した複数の携帯電話端末の加入者データを記憶する記憶手段を有するサーバにおいて、記憶手段は、加入者データである電話番号及びメールアドレスを登録する登録部と、登録部に登録した日時を記憶する登録日時記憶部と、携帯電話端末が有する電話帳に登録されている電話番号またはメールアドレスと電話帳に電話番号またはメールアドレスを登録した日時を受信した際に、受信した電話番号またはメールアドレスが登録部に登録されているかを検索する検索手段と、検索手段の検索結果に基づいて、受信した日時と、登録日時記憶部に記憶されている日時とを比較する比較手段と、比較手段による比較結果を携帯電話端末へ通知する通知手段とを有することを特徴とする。
【０００９】
また、本発明のサーバは、比較手段は、受信した日時と日時記憶部に記憶されている日時を比較し、該日時記憶部に記憶されている日時が、受信した日時よりも新しいか否かを比較し、比較結果を通知手段が携帯電話端末へ通知することを特徴とする。
【００１０】
また、本発明のサーバは、記憶手段は、加入者データであるメールアドレスに変更があった場合に、変更前と変更後のメールアドレスを履歴として記憶する履歴記憶部と、履歴記憶部が記憶した日時を記憶する履歴日時記憶部と、加入者データへの問い合わせに対する応答を許可するか否かのフラグと、フラグに基づいて通知を許可する電話番号を記憶する通知許可電話番号記憶部とを有することを特徴とする。
【００１１】
また、本発明のサーバは、携帯電話端末が有する電話帳に登録されているメールアドレスと電話帳に登録した登録日時を受信した場合に、検索手段が、受信したメールアドレスを登録部と履歴記憶部から検索し、検索結果に基づいて、比較手段が、受信した日時と登録日時記憶部、履歴日時記憶部とを比較し、フラグが許可されている場合には、通知許可電話番号記憶部に記憶されている電話番号かを参照し、通知許可された電話番号の場合に、比較手段による比較結果を通知することを特徴とする。
【００１２】
さらに、本発明のサーバは、履歴記憶部は、メールアドレスの変更が複数回行われた場合に、変更２つ前のメールアドレスを履歴として記憶することを特徴とする。
【００１３】
本発明の情報管理システムは、電話帳を有する携帯電話端末とサーバとがデータ通信網を介して接続可能で携帯電話端末とサーバとの間でデータの送受信を行う情報管理システムにおいて、サーバは、複数の携帯電話端末のユーザデータを格納する格納部を有し、携帯電話端末から受信した電話帳のデータと格納部に格納されているユーザデータとを照合し、照合した結果、受信した電話帳データが受信した時点で有効または無効かを携帯電話端末へ通知することを特徴とする。
【００１４】
また、本発明の情報管理システムは、携帯電話端末からサーバへ送信される電話帳データは、電話番号またはメールアドレスと、電話帳への電話番号またはメールアドレスの登録日時であって、格納部には、ユーザデータとして電話番号及びメールアドレスを記憶部と、電話番号及びメールアドレスの記憶日時を記憶する日時記憶部を有し、携帯電話端末から受信した電話帳データに含まれる電話番号またはメールアドレスを記憶部から検索し、検索結果に基づいて、受信した登録日時と日時記憶部に記憶されている記憶日時を比較し、比較結果を携帯電話端末へ通知することを特徴とする。
【００１５】
また、本発明の情報管理システムは、格納部には、記憶部に記憶されているメールアドレスが複数回変更された場合に、変更後のメールアドレスは記憶部に記憶され、変更前のメールアドレスは、履歴として記憶する履歴記憶部と、履歴記憶部への記憶日時を記憶する履歴日時記憶部と、電話帳データとの比較結果の通知を許可するフラグと、フラグに基づいて、通知を許可する対象となる電話番号を記憶する通知許可電話番号記憶部とを有し、受信した電話帳データに含まれるメールアドレスを記憶部及び履歴記憶部に記憶されたメールアドレスから検索し、検索されたメールアドレスに通知を許可するフラグが成立している場合に、電話帳データと共に送信された送信側の携帯電話端末自身の電話番号が通知許可電話番号記憶部に記憶されているかを照合し、メールアドレスの登録日時と記憶日時および履歴日時記憶部に記憶されている記憶日時を比較し、登録日時が記憶日時と最も近い日時の場合には、受信したメールアドレスが現在も使用可能である旨を携帯電話端末へ通知し、履歴日時記憶部に記憶されている記憶日時に最も近い日時の場合には、メールアドレスが変更された旨と変更後のメールアドレスを携帯電話端末へ通知することを特徴とする。
【発明の効果】
【００１６】
以上の説明から、携帯電話端末からの問い合わせにより、電話帳に登録されている電話番号またはメールアドレスが現在も有効か無効、または変更されたかをユーザの都合に合わせて確認することができる。
【発明を実施するための最良の形態】
【００１７】
次に、図面を参照して、第１の実施形態および第２の実施形態について説明する。
【００１８】
［第１の実施形態］
図１は、第１の実施形態に係る携帯電話端末１００の構成を示した図である。
図１に示すように、携帯電話端末１００は、入力部１０１、出力部１０２、通信部１０４、データ記憶部１０７から構成されている。入力部１０１は、キーボード等から構成され、出力部１０２は、ディスプレイ装置等から構成されている。通信部１０３は、音声またはデータの送受信を行い、データ処理部１０４は、プログラム制御により動作し、データ記憶部１０７は、複数の電話帳データ１０８を記憶している。
【００１９】
データ処理部１０４は、電話帳データの検索、登録、表示等の電話帳の管理を行う電話帳処理手段１０５と、音声やデータの送受信の制御を行う通信処理手段１０６を備えている。データ記憶部１０７は、複数の電話帳データ１０８を有すると共に、個々の電話帳データ１０８には、メールアドレスを保存するメールアドレス記憶領域１０９と、メールアドレス記憶領域１０９にメールアドレスが登録あるいは最後に修正された日時を記憶するメールアドレス登録日記憶領域１１０と、電話番号を保存する電話番号記憶領域１１１と、電話番号記憶領域１１１に電話番号が登録あるいは最後に修正された日時を記憶する電話番号登録日記録領域１１２を有する。
【００２０】
次に、図２を参照して、本実施形態に係る通信網について説明する。
本実施形態に係る通信網は、携帯電話端末１００、基地局２００、データ通信網３００、加入者管理サーバ４００から構成されている。電話帳データ１０８を有する携帯電話端末１００は、基地局２００およびデータ通信網３００を経由して、通信事業者が設置した電話番号、メールアドレスの管理を行う加入者管理サーバ４００と通信を行う。
【００２１】
図３は、加入者管理サーバ４００の構成を示した図である。
図３に示すように、加入者管理サーバ４００は、サーバ通信部４０１とサーバデータ処理部４０２、サーバデータ記憶部４０５から構成されている。また、サーバデータ処理部４０２は、加入者管理手段４０３とサーバ通信処理手段４０９を備え、サーバデータ記憶部４０５は、複数の加入者データ４０６を有している。
【００２２】
サーバ通信部４０１は、データ通信網３００と接続し、データ通信を行い、サーバデータ処理部４０２は、プログラム制御により動作し、加入者データの登録、照合等の加入者データ４０６の管理を行う加入者管理手段４０３とデータの送受信の制御を行うサーバ通信処理手段４０４を備えている。
【００２３】
サーバデータ記憶部４０５が有する加入者データ４０６は、加入者のメールアドレスを保存するサーバメールアドレス記憶領域４０７と、サーバメールアドレス記憶領域４０７にメールアドレスが登録または修正された日時を保存するサーバメールアドレス登録日記憶領域４０８、加入者の電話番号を保存するサーバ電話番号記憶領域４０９、サーバ電話番号記憶領域４０９に電話番号が登録あるいは修正された日時を保存するサーバ電話番号登録日記憶領域４１０を有する。
【００２４】
次に、図１から図５を参照して、第１の実施形態における処理動作について説明する。
図４は、加入者管理サーバ４００の処理動作を示すフローチャートであり、図５は、携帯電話端末１００の処理動作を示すフローチャートである。
まず、加入者管理サーバ４００の処理動作について説明する。
ユーザは、携帯電話端末１００のデータ記憶部１０７に記憶されている電話帳データ１０８から確認したい電話帳データを選択し（ステップＳ１０１）、電話帳データを基地局２００、データ通信網３００を経由して、加入者管理サーバ４００へ送信する（ステップＳ１０２）。ステップＳ１０２で加入者管理サーバ４００へ送信する電話帳データは、ステップＳ１０１で選択した電話帳データの電話番号記憶領域１１１に保存されている電話番号および電話番号登録日記憶領域に保存されている該当する電話番号の登録または修正日時である。
【００２５】
加入者管理サーバ４００は、携帯電話端末１００から受信した電話帳データと加入者データ４０６内のサーバ電話番号記憶領域４１１に保存されている電話番号とを照合し（ステップＳ２０１）、受信した電話番号と同じ電話番号がサーバデータ記憶部４０５に記憶されているか検索する（ステップＳ２０２）。
【００２６】
検索の結果、受信した電話番号と一致する電話番号がサーバ電話番号記憶領域４１１に記憶されていない場合（ステップＳ２０３／ＮＯ）、受信した電話番号は現在使用されていないとして携帯電話端末１００へ「無効」情報を通知する（ステップＳ２０６、ステップＳ２０７）。
【００２７】
また、検索の結果、受信した電話番号と一致する電話番号がサーバ電話番号記憶領域４１１に記憶されている場合（ステップＳ２０３／ＹＥＳ）、次に、受信した電話番号の登録または修正日時とサーバ電話番号登録日記憶領域４１２に記憶されている一致した電話番号の登録あるいは修正日時との比較を行う（ステップＳ２０４）。
【００２８】
受信した電話番号の登録または修正日時がサーバ電話番号登録日記憶領域４１２に記憶されている一致した電話番号の登録あるいは修正日より古い場合（ステップＳ２０４／ＮＯ）、携帯電話端末１００の電話帳に登録されている電話番号が登録、修正した以降に該当の電話番号の契約等に変更があったものとして、携帯電話端末１００に「変更」情報を通知する（ステップＳ２０８，ステップＳ２０９）。
【００２９】
また、受信した電話番号の登録または修正日時がサーバ電話番号登録日記憶領域４１２に記憶されている一致した電話番号の登録あるいは修正日より新しい場合（ステップＳ２０４／ＹＥＳ）、携帯電話端末１００の電話帳に登録されている電話番号は、契約の変更等が無く、現在も使用されているものとして携帯電話端末１００に「有効」情報を返信する（ステップＳ２０５，ステップＳ２１０）。
【００３０】
携帯電話端末１００は、加入者管理サーバ４００から送信された確認情報を受信し、出力装置１０２に確認結果として表示する。この表示により、携帯電話端末１００のユーザは、対象となる電話番号が現在も使用中であり有効であるか、電話帳に登録後に変更があったのか、または無効であるかを確認することが可能となる。
【００３１】
なお、上記では、電話番号の確認方法を説明したが、メールアドレスの確認ついても同様である。
携帯電話端末１００のデータ記憶部１０７内のメールアドレス記憶領域１０９に保存されているメールアドレスおよびメールアドレス登録日記憶領域に保存されているメールアドレスの登録・修正日時を加入者管理サーバ４００へ送信し、加入者管理サーバ４００のサーバメールアドレス記憶領域４０９に保存されている加入者のメールアドレスおよびサーバメールアドレス登録日記憶領域４１０に保存されているメールアドレスの登録・修正日時とを比較することで、有効であるか、変更されているか、無効であるかを確認することも可能である。
【００３２】
図５には、データ通信網３００を介して複数の加入者管理サーバ４００〜４０３が接続されている構成を示している。
携帯電話端末１００が契約している事業者の加入者管理サーバ４００に該当の電話番号、メールアドレスが無い場合には、他社の加入者管理サーバ４０１〜４０３へ携帯電話端末１００から受信した電話番号、メールアドレスを送信する。他社の加入者管理サーバ４０１〜４０３において同様に電話番号、メールアドレスの照合を行い、確認結果を携帯電話端末１００の契約する事業者の加入者管理サーバ４００に返信する。
【００３３】
携帯電話端末１００の契約する事業者の加入者管理サーバ４００は、他社の加入者管理サーバ４０１〜４０３から送信された確認結果を携帯電話端末１００に返信することにより、複数の通信事業者に登録されている電話番号、メールアドレスに対して確認することができる。
【００３４】
［第２の実施形態］
次に、図１、図６〜図７を参照して、第２の実施形態について説明する。
図６に示すように、加入者管理サーバ４００には、加入者データ４０６としてサーバデータ記憶部４０５に、該当の加入者の最新のメールアドレスを記憶するサーバメールアドレス記憶領域４０９と、サーバメールアドレス記憶領域４０９の情報が登録された日時を記憶するサーバメールアドレス登録日時記憶領域４１０を有する。
【００３５】
また、該当の加入者のメールアドレスが変更された際の履歴を記憶する領域として１つ前のメールアドレスを記憶するメールアドレス履歴１記憶領域４１１とそのメールアドレスが設定された日時を記憶するメールアドレス履歴１登録日記憶領域４１２を有する。
【００３６】
同様に２つ前のメールアドレスを記憶するメールアドレス履歴２記憶領域４１３とそのメールアドレスが設定された日時を記憶するメールアドレス履歴２登録日記憶領域４１４を有する。
【００３７】
また、他者からのメールアドレスの確認に対し、確認結果の返信の可否を記憶する通知許可フラグ４１５と、確認結果の返信を許可する対象の電話番号を記憶する通知許可電話番号記憶領域４１６を有する。
【００３８】
次に、処理動作について説明する。
携帯電話端末１０１は、メールアドレスの登録または変更時に（ステップＳ５０１）、メールアドレスの通知の可否、および通知を許可する場合に通知を許可する電話番号を加入者管理サーバ４００へ通知する（ステップＳ５０２）。加入者管理サーバ４００は、受信した情報からメールアドレスの確認の可否を通知許可フラグ４１５に、通知が許可された電話番号を通知許可電話番号記憶領域４１６に保存する（ステップＳ４０１）。
【００３９】
また、携帯電話端末１００から電話帳に登録されているメールアドレスが使用されているか確認する際に、確認するメールアドレス、メールアドレスの登録日時および携帯電話端末１００自身を加入者管理サーバ４００へ送信する（ステップＳ３０１）。加入者管理サーバ４００は、携帯電話１００から受信した電話帳データ内のメールアドレスをサーバメールアドレス記憶領域４０９、メールアドレス履歴１記憶領域４１１およびメールアドレス履歴２記憶領域４１３に保存されているメールアドレスから一致する情報を抽出する（ステップＳ４０３）。
【００４０】
次に、抽出された記憶領域に対するサーバメールアドレス登録日記憶領域４１０、メールアドレス履歴１登録日記憶領域４１２に記憶されている登録日と携帯電話端末１００から送信された登録日の情報を比較し、送信された登録日より前に登録されたメールアドレスで、最も日時が近い登録日記憶領域を検索する（ステップＳ４０４）。
【００４１】
検索された登録日記憶領域の加入者データ４０６に対し、通知許可フラグ４１５にて確認結果の通知が許可されているか、および携帯電話端末１００から送信された電話番号が通知許可電話番号記憶領域４１６に記憶されている電話番号と一致するかを照合する（ステップＳ４０５）。
【００４２】
照合の結果、確認結果の通知が許可されていない、あるいは携帯電話端末１００の電話番号が通知許可電話番号記憶領域４１６に記憶されていない場合は（ステップＳ４０５／無効）、通知が拒否されているものとして携帯電話端末１００に「無効」情報を通知する（ステップＳ４０６）。
【００４３】
また、携帯電話番号１００から送信された電話番号が確認結果の通知が許可された電話番号であり、検索結果がサーバアドレス登録日記憶領域４１０にあった場合は（ステップＳ４０７／有効）、携帯電話端末１００に保存されているメールアドレスから変更がないものとして、携帯電話端末１００に「有効」情報を通知する（ステップＳ４０７）。
【００４４】
また、携帯電話端末１００から送信された電話番号が確認結果の通知が許可された電話番号であり、検索された結果が、メールアドレス履歴１登録日記憶領域４１２またはメールアドレス履歴２登録日記憶領域４１３にあった場合は（ステップＳ４０５／変更）、携帯電話端末１００に保存されているメールアドレスから変更があったものとして、「変更」の情報とともに、該当の加入者データ４０６のサーバメールアドレス記憶領域４０９に保存されている最新のメールアドレスを携帯電話端末１００に送信する（ステップＳ４０８）
【００４５】
携帯電話端末１００は、加入者管理サーバ４００からの照合結果を受信し（ステップＳ３０２）、加入者管理サーバ４００から受信した情報が「有効」情報または「無効」情報の場合は（ステップＳ３０２／有効・無効）、結果を出力部１０２に出力する（ステップＳ３０３）。また、加入者管理サーバ４００から受信した情報が「変更」情報の場合は（ステップＳ３０２／変更）、「変更」情報と共に送信された携帯電話端末１０１の最新のメールアドレスから電話帳データに保存されているメールアドレスを最新のメールアドレスへ変更する（ステップＳ３０４）。
【００４６】
以上の説明から、携帯電話端末１００の電話帳に保存されているメールアドレスに対し、登録日時を照合することで、メールアドレスが変更されている場合は、最新のメールアドレスを携帯電話端末１００にて入手が可能となるとともに、加入者データ４０６に登録されている加入者がメールアドレスの確認に対し、通知相手を制限することが可能である。
【００４７】
なお、本実施形態では、確認結果の通知の可否を電話番号にて判断する例を示したが、携帯電話端末１００のメールアドレスにて判断する、あるいは制限をかけない等の条件を設定し、確認結果通知の可否を判断することが考えられる。
【図面の簡単な説明】
【００４８】
【図１】本実施形態に係る携帯電話端末の構成を示した図である。
【図２】第１の実施形態に係る情報管理システムの構成を示した図である。
【図３】第１の実施形態に係る加入者管理サーバの構成を示した図である。
【図４】第１の実施形態に係るサーバ及び情報管理システム処理動作を示したフローチャートである。
【図５】第１の実施形態に係る情報管理システムの構成を示した図である。
【図６】第２の実施形態に係る加入者管理サーバの構成を示した図である。
【図７】第２の実施形態に係るサーバ及び情報管理システムの処理動作を示したフローチャートである。
【符号の説明】
【００４９】
１００    携帯電話端末
２００    基地局
３００    データ通信網
４００    加入者管理サーバ
【図１】
2007251562.tif 000003
【図２】
2007251562.tif 000004
【図３】
2007251562.tif 000005
【図４】
2007251562.tif 000006
【図５】
2007251562.tif 000007
【図６】
2007251562.tif 000008
【図７】
2007251562.tif 000009